(57)【要約】【課題】  本発明の目的は、開封する時に逆止弁を容器から取り外す必要が無く、使用中に内容物が漏れ出てしまう恐れの無いスリット式逆止弁付き容器を提供することにある。【解決手段】  胴部を押圧することで変形可能な容器１２と、該容器１２の注出口２２を覆う耐気体透過性を持ったシール材２４と、容器１２内の圧力に応じて開閉するスリット２０が形成されたスリット式逆止弁１４と、前記容器１２に装着するためのキャップ１８と、を備え、前記スリット式逆止弁１４は、前記シール材２４の外側を覆うように前記容器１２の注出口２２に固着され、前記キャップ１８の天板部の容器装着側の逆側の面に、前記逆止弁１４のスリット２０を通って前記シール材２４を破断するための突起部２６が設けられたことを特徴とするスリット式逆止弁付き容器１０。【選択図】      図１
2005153950.tif 000002
【特許請求の範囲】
【請求項１】
胴部を押圧することで変形可能な容器と、該容器の注出口を覆う耐気体透過性を持ったシール材と、容器内の圧力に応じて開閉するスリットが形成されたスリット式逆止弁と、前記容器に装着するためのキャップと、を備え、
前記スリット式逆止弁は、前記シール材の外側を覆うように前記容器の注出口に固着され、
前記キャップの天板部の容器装着側の逆側の面に、前記逆止弁のスリットを通って前記シール材を破断するための突起部が設けられたことを特徴とするスリット式逆止弁付き容器。
【請求項２】
請求項１のスリット式逆止弁付き容器において、
前記突起部の水平断面形状が横一文字もしくは前記スリットの平面形状に対応した形状であり、前記キャップの天板部に、前記突起部の周りを取り囲むように前記突起部の高さよりも高い保護壁が形成されていることを特徴とするスリット式逆止弁付き容器。
【発明の詳細な説明】
【技術分野】
【０００１】
本発明は、チューブ容器等の様に、容器の注出口を耐気体透過性に優れたアルミ箔で覆っていると共に、容器の胴部を押圧して内容物を注出するスクイズ式注出容器に於けるエアーバックを防止するためのスリット式逆止弁を備えた容器の改良に関するものである。
【背景技術】
【０００２】
容器の胴部を押圧してその内容物を注出するスクイズ式注出容器では、内容物を押し出したあとに、胴部の復元力により注出口から空気が入り込んでしまう、いわゆるエアーバックという現象が起きるという問題があった。容器の内容物が空気によって変性を引き起こし易いものである場合には、このエアーバックの問題は深刻なものであった。
そのため、例えば特許文献１に示されるような、エアーバックを防止するためのスリット式逆止弁を備えた容器が一般に用いられている。さらに、このような容器では使用前の容器の内容物を保護するために、注出口を耐気体透過性に優れたアルミ箔等のシール材で覆っている。
【特許文献１】特開２００３−１１９９５号公報
【発明の開示】
【発明が解決しようとする課題】
【０００３】
しかしながら、特許文献１に記載された逆止弁付プラスチック製チューブ容器は、内容物を注出させるため、開封する時に、必ず、逆止弁を容器から取り外し、しかる後に、シール材を取り除くか、若しくは、シール材に穴を開けなければならない。
これは、使用者にとって面倒なことであり、逆止弁を容器に再装着させるときも、誤った装着をさせたり、緩い状態で装着を終えてしまうと、使用している間に、装着部分から内容物が漏れ出てしまう恐れも有る。
本発明は上記課題に鑑みなされたものであり、その目的は、開封する時に逆止弁を容器から取り外す必要が無く、使用中に内容物が漏れ出てしまう恐れの無いスリット式逆止弁付き容器を提供することにある。
【課題を解決するための手段】
【０００４】
前記目的を達成するために、本発明のスリット式逆止弁容器は、胴部を押圧することで変形可能な容器と、該容器の注出口を覆う耐気体透過性を持ったシール材と、容器内の圧力に応じて開閉するスリットが形成されたスリット式逆止弁と、前記容器に装着するためのキャップと、を備え、前記スリット式逆止弁は、前記シール材の外側を覆うように前記容器の注出口に固着され、前記キャップの天板部の容器装着側の逆側の面に、前記逆止弁のスリットを通って前記シール材を破断するための突起部が設けられたことを特徴とする。
上記のスリット式逆止弁付き容器において、前記突起部の水平断面形状が横一文字もしくは前記スリットの平面形状に対応した形状であり、前記キャップの天板部に、前記突起部の周りを取り囲むように前記突起部の高さよりも高い保護壁が形成されていることが好適である。
【発明の効果】
【０００５】
本発明のスリット式逆止弁付き容器によれば、キャップにシール材を破断するための突起部が設けられているため、開封する時に、キャップを外してキャップの突起部をスリットから差し込むだけで開封でき、従来品の様に、逆止弁を取り外す必要が無く、逆止弁を強固に固着させておくことが出来るので、使用中に内容物が逆止弁の装着部から漏れ出ることも無い。
【発明を実施するための最良の形態】
【０００６】
以下に図面を参照して本発明の好適な実施形態を説明する。
図１は、本実施形態のスリット式逆止弁付き容器１０の要部を示した断面図であり、本実施形態のスリット式逆止弁付き容器１０は、容器本体１２と、スリット式逆止弁１４を備えた中蓋１６と、容器本体１２に装着するためのキャップ１８とから構成されている。容器本体１２の注出口２２は、耐気体通過性を持つシール材２４によって密閉され、さらにシール材は中蓋１６によって覆われている。そして、中蓋１６のスリット式逆止弁１４には、容器本体１２内の圧力に応じて開閉するスリット２０が形成されている。
【０００７】
キャップ１８の天板部２８の容器装着側の逆側面には、スリット２０を通ることのできる厚みと幅を持った突起部２６が設けられている。そして、開封するときには使用者は、図２に示すように、キャップ１８を容器本体１２から外し、突起部２６を中蓋１６のスリット式逆止弁のスリットから差し込むことにより、注出口２２を覆っていたシール材２４を破断し、開封することができる。開封後は従来のものと同様に、容器本体１２が押圧されると逆止弁１４のスリット２０を通して容器の内容物が注出され、内容物注出後には逆止弁１４の持つ弾性により速やかにスリット２０が閉じられ、空気が流入することを防いでいる。
【０００８】
このように、使用者はスリット式逆止弁１４を取り外すことなく、シール材２４を開封することができる。また、従来品の様に、逆止弁を取り外す必要が無いため、逆止弁付き中蓋１６を容器本体１２の注出口２２に強固に固着させておくことが出来るため、使用中に内容物が逆止弁付き中蓋１６の装着部から漏れ出る恐れも無い。
また、本実施形態では、突起部２６の水平断面形状が横一文字もしくはスリット２０の平面形状に対応した形状で、スリット２０の隙間の間から突起部２６を差し込み易くしており、キャップ１８の天板部２８には、突起部２６の周りを取り囲むように保護壁３０を設けている。この保護壁３０は、突起部２６よりも高く形成されており、突起部２６を保護すると同時に、使用者が誤って突起部２６に触れることを防いでいる。
以上が本実施形態のスリット式逆止弁付き容器１０の概略構成であり、次に各部の説明を行う。
【０００９】
容器本体１２は、円筒形の胴部３２を備えていて、内容物を充填後、図示していないが、下方端部を合掌させてヒートシールさせ、密封している。
胴部３２は、耐気体透過性に優れたエチレン−ビニルアルコール共重合体樹脂等を芯材にして、内外にオレフィン樹脂等を同時に押出し機で共に押出しして三層の円筒形にしたものや、耐気体透過性に優れたアルミ箔等の金属箔の表裏にオレフィン樹脂等のフィルムを積層させて多層フィルムとし、該多層フィルムを円筒形に丸め、繋ぎ目をヒートシールしたものが一般的に使用されている。
【００１０】
該胴部３２の上方端部には、オレフィン樹脂等で予め作られた口部材３４が固設されていて、該口部材３４は、肩部３６と口頸部３８と注出口２２を形成させていて、該口部材３４の内側には、肩部３６と口頸部３８と注出口２２を覆って、シール材２４が接着されている。本実施形態では、シール材２４として耐気体透過性に優れたアルミ箔を使用している。
また、口部材３４は、胴部３２とシール材２４を予め設置した金型内へ樹脂を射出し、胴部３２の端部内側に成型させる場合も有る。
【００１１】
口頸部３８の外側には、キャップ１８を螺着させるネジ部４０が有り、口頸部３８の上端部には、スリット式の逆止弁付き中蓋１６を装着させており、該装着部は、口頸部３８を全周に亘って逆Ｕ字型部４２で保持し、外端の突起４４を口頸部３８に嵌入させて液密に固着させている。
該中蓋１６の中央は、変形可能な厚さを有したスリット式逆止弁１４が設けられている。スリット式逆止弁１４には、図３に示した様に、十字型のスリット２０が、注出口２２の直径とほぼ同じか、より大きな長さを有して設けられている。
尚、スリット２０の形状は、横一文字形でも＊の様な米印の形であっても良いことは言うまでもない。
【００１２】
さらに、該中蓋１６を覆って、キャップ１８が口部材３４のネジ部４０に螺着されている。
該キャップ１８は、円筒壁４６の内側に、口部材３４のネジ部４０に螺着するねじ部４８を持ち、円筒壁４６に続いている天板部２８の内側には、中蓋１６の逆Ｕ字形部４２に当接して密封を得るための突起５０を有している。
【００１３】
天板部２８の外面には、逆止弁１４のスリット２０を通ってシール材２４を破断させるための突起部２６が有り、突起部２６の水平断面形状は、横一文字もしくはスリット２０の平面形状に対応した形状であることが望ましく、スリット２０の隙間の間から突起部２６を差し込み易くしており、シール材２４をできるだけ広範囲に破断できる形状と長さを備えている。
また、キャップ１８の円筒壁４６を外方且つ上方へ延長させて、突起部２６を保護し、また逆に、突起部２６が、不用意に、指等に当たらないようにするための保護壁３０が設けられている。
【図面の簡単な説明】
【００１４】
【図１】本実施形態のスリット式逆止弁付き容器の要部を示した断面図。
【図２】本実施形態の容器のシール材を破断した状況を示した要部の断面図。
【図３】本実施形態の容器の逆止弁付き中蓋を示した平面図。
【符号の説明】
【００１５】
１０        スリット式逆止弁付き容器
１２        容器本体
１４        スリット式逆止弁
１６        中蓋
１８        キャップ
２０        スリット
２２        流出口
２４        シール材
２６        突起部
２８        キャップの天板部
３０        保護壁
【図１】
2005153950.tif 000003
【図２】
2005153950.tif 000004
【図３】
2005153950.tif 000005